(57)【要約】【課題】カードトレイを備えたタイプのカードコネクタにおいて、信頼性の高い防水構造を備える。【解決手段】カードコネクタ１０は、カードトレイ１２を備えている。このカードトレイ１２は、トレイ部１２１ａと、立壁部１２１ｂと、ロッド収容筒状部１２１ｃとを有する。立壁部１２１ｂの周面にはＯリング１２２を配置して、筐体３１の差込口３２の内周面との間を防水する。また、ロッド収容筒状部１２１ｃには、立壁部１２１ｂの前面にのみ開口する穴１２１ｆが設けられている。その穴１２１ｆには、コイルスプリング１２３とイジェクトロッド１２４が配置されている。イジェクトロッド１２４は、穴１２１ｆに収納した状態で係止される係止構造を有する。イジェクトロッド１２４は、その係止を外すと、コイルスプリング１２３で押されて突出する。その突出したイジェクトロッド１２４を引くことで、カードトレイ１２を引き出すことができる。【選択図】図２
2016033865.tif 000002
【特許請求の範囲】
【請求項１】
カードを載せ、電子機器筐体の外壁面と内壁面とに貫通する差込口を通って挿入／取出しの向きに往復スライド自在であって、挿入時に該電子機器筐体の外面の一部を成すカードトレイと、
前記電子機器筐体内部に配置され、前記カードトレイを受容する受容空間が形成されたハウジングとを備え、
前記カードトレイが、
カードを載せて前記受容空間に受容されるトレイ部と、該トレイ部が前記受容空間に受容された状態において前記差込口内に位置し、当該カードトレイを前記挿入の向きに見たときに該トレイ部を覆うとともに該トレイ部の一方の脇にまで延びる立壁部と、該立壁部から前記トレイ部の脇を前記挿入の向きに延びるロッド収容筒状部とを有し、該立壁部前面に開口して該立壁部から該ロッド収容筒状部内に延びる穴が設けられたトレイ本体と、
前記立壁部の周面を一周に亘って取り巻き、前記トレイ部が前記受容空間に受容された状態における該立壁部周面と前記差込口内周面との間を防水する防水部材と、
前記穴内に配置された弾性部材と、
収納位置と前記弾性部材に付勢されて該穴から突出した突出位置との間で往復スライド自在であって、該収納位置において解除自在に係止されて該収納位置に保持され、該突出位置において前記取出しの向きに引かれて当該カードトレイを引き出すイジェクトロッドとを備えたことを特徴とするカードコネクタ。
【請求項２】
前記イジェクトロッドが、前記挿入／取出しの向きに交わる半径方向に突出した第１係止部を備え、前記挿入の向きに押し込んだ該イジェクトロッドを回転させて、該第１係止部を、前記電子機器筐体に形成された第２係止部に係止させることで、該イジェクトロッドが該収納位置に保持されるものであることを特徴とする請求項１記載のカードコネクタ。
【請求項３】
前記イジェクトロッドが、前記挿入／取出しの向きに交わる半径方向に突出した第１係止部を備え、
前記立壁部が、前記挿入の向きに押し込んだ該イジェクトロッドを回転させたときに該第１係止部を係止して該イジェクトロッドを該収納位置に保持させる第２係止部を有することを特徴とする請求項１記載のカードコネクタ。
【発明の詳細な説明】
【技術分野】
【０００１】
本発明は、カードトレイにメモリカード等のカードを載せて挿入しそのカードトレイを電子機器筐体の外面の一部として利用する、電子機器に内蔵されるカードコネクタに関する。
【背景技術】
【０００２】
上記の形態のカードコネクタが広く普及している。この形態のカードコネクタを構成するカードトレイの中には、電子機器筐体の外面を成す部分にピンが挿入される孔が設けられているタイプのものがある。このタイプのカードコネクタは、その孔にピンを挿入することによりカードトレイが電子機器筐体から突き出る向きにスライドして、そのカードトレイを電子機器から取り出すことができるように構成されている。
【０００３】
ここで、このタイプのカードコネクタは、電子機器筐体の、カードトレイが差し込まれる差込口とカードトレイとの間の隙間から、あるいは上記の孔から、電子機器筐体内に水が入り込む構造となっており、防水構造とすることが望まれている。
【０００４】
特許文献１には、上記のタイプのカードコネクタにおける上記の孔の中に、中央部に貫通孔を有するゴム材等の弾性部材を配置した構造が開示されている。そして、この特許文献１の説明では、その孔にピンが挿入されていない時にはその弾性部材の弾性でその貫通孔を閉鎖させ、ピン挿入時には、その貫通孔を押し広げながらピンを挿入するとされている。
【０００５】
また、特許文献２には、端子カバーの周縁に防水パッキンを備え、その端子カバーを筐体に固定するカバー固定部材が挿入される挿入孔が端子カバーに形成され、カバー固定部材にもＯリングが設けられた構造を有する携帯端末が開示されている。
【先行技術文献】
【特許文献】
【０００６】
【特許文献１】特開２０１２−２３４６６９号公報
【特許文献２】特開２０１４−１１７４１号公報
【発明の概要】
【発明が解決しようとする課題】
【０００７】
ここで、上掲の特許文献１に開示された構造の場合、防水の機能を果たすべき弾性部材に貫通孔が形成されていることから、防水の信頼性が確保できないおそれがある。特に、ピンを挿入するとその貫通孔が広がってしまい、ピンを抜いた後でその貫通孔を完全に閉鎖させるのは困難と考えられる。
【０００８】
一方、特許文献２に開示された構造の場合、端子カバー周縁のみならず、カバー固定部材にも防水部材（Ｏリング）が設けられていることから、防水性能は高いと考えられる。ただし、携帯端末から端子カバーを取り外すにはカバー固定部材を取り外す必要があり、カードトレイを備えたカードコネクタへの適用は難しい。
【０００９】
本発明は、上記事情に鑑み、カードトレイを備えたタイプのカードコネクタにおいて、信頼性の高い防水構造を備えることを目的とする。
【課題を解決するための手段】
【００１０】
上記目的を達成する本発明のカードコネクタは、
カードを載せ、電子機器筐体の外壁面と内壁面とに貫通する差込口を通って挿入／取出しの向きに往復スライド自在であって、挿入時に電子機器筐体の外面の一部を成すカードトレイと、
電子機器筐体内部に配置され、カードトレイを受容する受容空間が形成されたハウジングとを備え、
上記カードトレイが、
カードを載せて受容空間に受容されるトレイ部と、そのトレイ部が受容空間に受容された状態において差込口内に位置し、このカードトレイを挿入の向きに見たときにトレイ部を覆うとともにそのトレイ部の一方の脇にまで延びる立壁部と、その立壁部からトレイ部の脇を挿入の向きに延びるロッド収容筒状部とを有し、立壁部前面に開口して立壁部からロッド収容筒状部内に延びる穴が設けられたトレイ本体と、
立壁部の周面を一周に亘って取り巻き、トレイ部が受容空間に受容された状態における立壁部周面と差込口内周面との間を防水する防水部材と、
上記穴内に配置された弾性部材と、
収納位置と弾性部材に付勢されてその穴から突出した突出位置との間で往復スライド自在であって、収納位置において解除自在に係止されて収納位置が保時され、突出位置において取出しの向きに引かれてカードトレイを引き出すイジェクトロッドとを備えたことを特徴とする。
【００１１】
ここで、本発明のカードコネクタにおいて、上記防水部材は、典型的には、Ｏリングが採用される。また、弾性部材は、コイルスプリングが好適である。
【００１２】
本発明のカードコネクタは、立壁部の周面にはＯリング等の防水部材が配置されていて、立壁部周面と差込口内周面との間は、その防水部材で防水される。また、上記の穴は、カードトレイを取り出すための穴であるが、その穴内に弾性部材やイジェクトロッドは配置されているものの筐体内部とは隔絶されていて、筐体内に水が入らない構造となっている。したがって、信頼性の高い防水構造が実現する。本実施形態においては、イジェクトロッドを突出位置にしてそのイジェクトロッドを取出しの向きに引くことで、カードトレイが取り出される。
【００１３】
ここで、本発明のカードコネクタにおいて、イジェクトロッドが、挿入／取出しの向きに交わる半径方向に突出した第１係止部を備え、挿入の向きに押し込んだイジェクトロッドを回転させて、その第１係止部を、電子機器筐体に形成された第２係止部に差し込むことで、イジェクトロッドが収納位置に保持されるものであることが好ましい。
【００１４】
この場合、イジェクトロッドは、電子機器筐体に係止されるため、カードコネクタ単体では係止構造は完成しない。ただし、この係止構造を備えると、この係止構造自体によって、カードトレイが取出しの向きに不用意にスライドしてしまうことが防止される。したがって、カードコネクタには、カードトレイのスライドを防止するための、この係止構造以外の係止構造を備える必要はない。
【００１５】
また、本発明のカードコネクタにおいて、イジェクトロッドが、挿入／取出しの向きに交わる半径方向に突出した第１係止部を備え、立壁部が、挿入の向きに押し込んだイジェクトロッドを回転させたときに係止突起が入り込んでイジェクトロッドを収納位置に保持させる第２係止部を有することも好ましい形態である。
【００１６】
この場合、イジェクトロッドは立壁部に係止されるため、カードコネクタ単体で係止構造が完成する。ただし、この係止構造では、カードトレイが取出しの向きに不用意にスライドする可能性があるので、差し込まれたカードトレイをその差し込まれた状態に保持するための別途の係止機構を有することが好ましい。
【発明の効果】
【００１７】
以上の本発明によれば、信頼性の高い防水構造を備えたカードコネクタが実現する。
【図面の簡単な説明】
【００１８】
【図１】本発明の第１実施形態としてのカードコネクタを搭載した電子機器の一例を示した斜視図である。
【図２】図１に示す矢印Ａ−Ａに沿う、電子機器の断面斜視図である。
【図３】メモリカードを載せた状態のカードトレイの分解斜視図である。
【図４】回路基板に搭載された状態のカードコネクタの平面図である。
【図５】筐体の差込口からカードトレイを差し込んで固定するプロセスのうちの第１プロセスを示した図である。
【図６】筐体の差込口からカードトレイを差し込んで固定するプロセスのうちの第２プロセスを示した図である。
【図７】筐体の差込口からカードトレイを差し込んで固定するプロセスのうちの第３プロセスを示した図である。
【図８】筐体の差込口からカードトレイを差し込んで固定するプロセスのうちの第４プロセスを示した図である。
【図９】本発明の第２実施形態としてのカードコネクタを搭載した電子機器の一例を示した斜視図である。
【図１０】図９に示す電子機器の、カードコネクタの部分を示した拡大斜視図である。
【図１１】図９に示す矢印Ａ−Ａに沿う、電子機器の断面斜視図である。
【図１２】メモリカードを載せた状態のカードトレイの分解斜視図である。
【図１３】回路基板に搭載された状態のカードコネクタの平面図である。
【図１４】筐体の差込口からカードトレイを差し込んで固定するプロセスのうちの第１プロセスを示した図である。
【図１５】筐体の差込口からカードトレイを差し込んで固定するプロセスのうちの第２プロセスを示した図である。
【図１６】筐体の差込口からカードトレイを差し込んで固定するプロセスのうちの第３プロセスを示した図である。
【図１７】筐体の差込口からカードトレイを差し込んで固定するプロセスのうちの第４プロセスを示した図である。
【図１８】筐体の差込口からカードトレイを差し込んで固定するプロセスのうちの第５プロセスを示した図である。
【発明を実施するための形態】
【００１９】
以下、本発明の実施の形態について説明する。
【００２０】
図１は、本発明の第１実施形態としてのカードコネクタを搭載した電子機器の一例を示した斜視図である。
【００２１】
ここでは、組み込まれたカードコネクタ１０があらわれるように、電子機器３０の上半分を取り去って、電子機器３０の内側を示している。また、ここでは、電子機器について、スマートフォン等をイメージしている。ただし、本実施形態では、ここでは、回路基板２０やそれに搭載されているカードコネクタ１０が内蔵されていることを除き、電子機器の種類やその内部の構成を問うものではない。したがって、ここでは、電子機器３０については概括的にそのプロフィールのみを示している。
【００２２】
この電子機器３０の筐体３１内には、回路基板２０が備えられており、カードコネクタ１０はその回路基板２０に搭載されている。
【００２３】
このカードコネクタ１０の構成要素として、この図１には金属シェル１１とカードトレイ１２が示されている。また、このカードコネクタ１０にはハウジング１３（図４参照）が備えられている。そのハウジング１３には、カードトレイ１２を受容する受容空間１３１が形成されている。金属シェル１１は、そのハウジング１３の受容空間１３１に受容されたカードトレイ１２を覆うようにハウジング１３に固定されている。
【００２４】
カードトレイ１２は、メモリカード４０を載せ、電子機器３０の筐体３１の、外壁面３１ａと内壁面３１ｂとに貫通する差込口３２を通って、挿入／取出しの向き（矢印Ｉ−Ｅ方向）に往復スライド自在である。そして、このカードトレイ１２は、挿入時には、この電子機器３０の筐体３１の外面の一部を成す役割も担っている。
【００２５】
ハウジング１３（図４参照）は、電子機器３０の筐体３１内に備えられた回路基板２０に固定されている。そして、このハウジングは、挿入の向き（矢印Ｉの向き）にスライドしてきたカードトレイ１２を受容空間１３１に受容する。
【００２６】
図２は、図１に示す矢印Ａ−Ａに沿う、電子機器の断面斜視図である。
【００２７】
また、図３はメモリカードを載せた状態のカードトレイの分解斜視図である。
さらに、図４は、回路基板２０に搭載された状態のカードコネクタの平面図である。この図４では、カードコネクタ１０の内部構造が示されるように、図１等に示す金属シェル１１を取り除いて示している。
【００２８】
カードトレイ１２は、図３に示すように、トレイ本体１２１と、Ｏリング１２２と、コイルスプリング１２３と、イジェクトロッド１２４とを備えている。トレイ本体１２１は、トレイ部１２１ａと、立壁部１２１ｂと、ロッド収容筒状部１２１ｃとを有する。なお、図３には、分割片１２１ｄが示されている。この分割片１２１ｄは、ロッド収容筒状部１２１ｃ内に配置されるイジェクトロッド１２４の抜け止め用の部材である。この分割片１２１ｄは、組立時に接着固定されて、組立後は立壁部１２１ｂの一部を成す。以下、特に言及しない限り、分割片１２１ｄを含んで立壁部１２１ｂと称する。
【００２９】
トレイ部１２１ａは、その凹部１２５にメモリカード４０を受容した状態で、ハウジング１３の受容空間１３１（図４参照）に受容される部分である。
【００３０】
また、立壁部１２１ｂは、トレイ部１２１ａが受容空間１３１に受容された状態において、筐体３１の差込口３２内に位置する部分である。そして、この立壁部１２１ｂは、筐体３１の差込口３２内に位置した状態において、筐体３１の外面の一部を成している。すなわち、立壁部１２１ｂの外面が筐体３１の外面と面一になる。この立壁部１２１ｂは、このカードトレイ１２を挿入の向き（図１に示す矢印Ｉの向き）に見たときに、トレイ部１２１ａを覆うとともに、そのトレイ部１２１ａの一方の脇にまで延びている。
【００３１】
また、ロッド収容筒状部１２１ｃは、立壁部１２１ｂからトレイ部１２１ａの脇を挿入の向き（矢印Ｉの向き）に延びている部分である。
【００３２】
ここで、このトレイ本体１２１には、立壁部１２１ｂの前面に開口１２１ｅを有し、この立壁部１２１ｂの開口１２１ｅからロッド収容筒状部１２１ｃ内に延びる穴１２１ｆが形成されている。この穴１２１ｆは、立壁部１２１ｂの前面の開口１２１ｅ以外は塞がれた穴である。
【００３３】
また、立壁部１２１ｂには、その周面に、一周に亘る溝１２１ｇが形成されている。Ｏリング１２２は、その立壁部１２１ｂの溝１２１ｇに嵌め込まれて、立壁部１２１ｂを一周に亘って取り巻く。そして、このＯリング１２２は、トレイ部１２１ａが受容空間１３１に受容された状態における立壁部１２１ｂの周面と差込口３２の内周面との間を防水する。
【００３４】
コイルスプリング１２３は、立壁部１２１ｂの開口１２１ｅからロッド収容筒状部１２１ｃ内に延びる穴１２１ｆ内に配置される。
【００３５】
さらに、イジェクトロッド１２４は、コイルスプリング１２３を穴１２１ｆ内に閉じ込めて立壁部１２１ｂの開口１２１ｅを塞ぐように配置される。このイジェクトロッド１２４は、コイルスプリング１２３を押し縮めた収納位置と、穴１２１ｆから突出した突出位置との間で、挿入／取出しの向き（図１に示す矢印Ｉ−Ｅで示す方向）に往復スライド自在である。ただし、このイジェクトロッド１２４の抜止め部１２４ａは、常に穴１２１ｆ内に配置され、立壁部１２１ｂに接着固定された分割片１２１ｄに抜け止めされている。
【００３６】
また、このイジェクトロッド１２４の前端部には、マイナスドライバ等の冶具が嵌め込まれる溝１２４ｂが設けられている。また、この前端部には、挿入／取出しの向き（矢印Ｉ−Ｅ方向）に交わる半径方向に突出した係止突起１２４ｃが設けられている。この係止突起１２４ｃは、本発明にいう第１係止部の一例に相当する。そして、このイジェクトロッド１２４を穴１２１ｆに押し込んでマイナスドライバ等の冶具、硬貨又は爪等で回転させると、係止突起１２４ｃが、筐体３２の、後述する係止溝３４（図７，図８参照）に入り込んで係止される。この係止により、このイジェクトロッド１２４が収納位置に保持される。収納位置に保持されたイジェクトロッド１２４を冶具等で逆向きに回転させると、その係止が外れる。すると、イジェクトロッド１２４は、コイルスプリング１２３に押されて、取出しの向き（矢印Ｅの向き）に穴１２１ｆから突出する。この突出位置にあるイジェクトロッド１２４をその取出しの向き（矢印Ｅの向き）に引くと、カードトレイ１２が筐体３１から引き出される。
【００３７】
図４には、このカードコネクタ１０を構成するハウジング１３の受容空間１３１に、メモリカード４０を載せたカードトレイ１２が挿入された状態が示されている。ただし、この図４では、イジェクトロッド１２４は、穴１２１ｆ（図３参照）内のコイルスプリング１２３に押されてその穴１２１ｆから突出した突出位置にある。カードトレイ１２が受容空間１３１に挿入されると、その受容空間１３１には、カードトレイ１２のトレイ本体１２１のトレイ部１２１ａが受容される。トレイ本体１２１の立壁部１２１ｂは、回路基板２０から食み出た位置に留まっている。これは、回路基板２０が筐体３１内に搭載されたときに、立壁部１２１ｂを、筐体３１の差込口３２内に位置させるためである。
【００３８】
図５〜図８は、筐体の差込口からカードトレイを差し込んで固定するプロセスを順に示した図である。
【００３９】
これら図５〜図８において、（Ａ）は斜視図、（Ｂ）は、図１の矢印Ａ−Ａに沿った断面を示す斜視図である。
【００４０】
先ず、図５に示すように、筐体３１の差込口３２に、カードトレイ１２の先端を置く。このとき、イジェクトロッド１２４は、突出した状態（突出位置）にしておく。
【００４１】
次に、図６に示すように、カードトレイ１２を、差込口３２から挿入の向き（矢印Ｉの向き）に押し込む。これにより、Ｏリング１２３が、立壁部１２１ｂの周面と差込口３２の内周面との間に挟まれて、その部分が防水される。また、穴１２１ｆは、筐体３１の内側からは隔絶されているため、この穴１２１ｆから筐体３１の内側に水が入る懸念もない。
【００４２】
この図６に示す段階では、イジェクトロッド１２４は未だ突出位置にある。
【００４３】
次に、図７に示すように、突出位置にあるイジェクトロッド１２４を押し込む。そして、イジェクトロッド１２４に設けられている係止突起１２４ｃを、筐体３１の、その係止突起１２４ｃと対応する位置に形成されている係止凹部３３内に押し当てる。この係止凹部３３の横には、その係止凹部３３に繋がる係止溝３４が設けられている。この係止溝３４は筐体３１の肉厚内に設けられているため、筐体３１の表面には表れていない。この係止溝３４は、本発明にいう第２係止部の一例に相当する。
【００４４】
次に、イジェクトロッド１２４の係止突起１２４ｃを、図７に示すように係止溝３３に押し当てたまま、図８に示すように、冶具等によりイジェクトロッド１２４を矢印Ｒの向きに回転させる。すると、イジェクトロッド１２４の係止突起１２４ｃが、その係止溝３４内に入り込む。イジェクトロッド１２４は、コイルスプリング１２３によって取出しの向き（矢印Ｅの向き）に付勢され、係止突起１２４ｃが係止溝３４の内壁に強く当接することにより、このイジェクトロッド１２４が、コイルスプリング１２３を押し縮めた収納位置に保持される。
【００４５】
カードトレイ１２を筐体３１内から取り出すときは、イジェクトロッド１２４ｃを、冶具を用いる等して図８に示す矢印Ｒとは逆向きに回転させる。
【００４６】
イジェクトロッド１２４を図７に示す姿勢にまで回転させると、イジェクトロッド１２４は、コイルスプリング１２３に押されて、図６に示す突出位置まで突出する。そこで、その突出位置に突出したイジェクトロッド１２４を指の爪で引っ掛けて、あるいは冶具を用いて、取出しの向き（矢印Ｅの向き）に引く。すると、イジェクトロッド１２４の板止め部１２４ａが立壁部１２１ｈに当接するので、カードトレイ１２の全体が筐体３１から引き抜かれる。
【００４７】
この第１実施形態のカードコネクタ１０によれば、穴１２１ｆは筐体３１の内側とは隔絶されており、かつ、Ｏリング１２２により立壁部１２１ｂと差込口３２の内周面との間が防水されるため、信頼性の高い防水構造が実現する。
【００４８】
また、この第１実施形態のカードコネクタ１０によれば、イジェクトロッド１２４は筐体３１に係止されるため、その係止構造だけでカードトレイ１２の不用意なスライドが防止される。
【００４９】
以上で、第１実施形態の説明を終了し、次に本発明の第２実施形態について説明する。
【００５０】
以下に説明する第２実施形態においては、分かり易さのため、第１実施形態のカードコネクタ１０の構成要素と同一もしくは対応する構成要素には、上述の第１実施形態において付した符号と同一の符号を付して示す。
【００５１】
この図９は、本発明の第２実施形態としてのカードコネクタを搭載した電子機器の一例を示した斜視図である。
【００５２】
図９は、上述の第１実施形態における図１に対応する図である。ここでは、上述の第１実施形態の場合と同様、カードコネクタ１０があらわれるように、電子機器３０の上半分を取り去って、電子機器３０の内側を示している。また、これも第１実施形態の場合と同様、電子機器についてはスマートフォン等をイメージしている。ただし、ここでは、電子機器３０については、概括的にそのプロフィールのみを示している。
【００５３】
また、図１０は、図９に示す電子機器の、カードコネクタの部分を示した拡大斜視図である。
【００５４】
この電子機器３０の筐体３１内には、回路基板２０が備えられており、カードコネクタ１０はその回路基板２０に搭載されている。
【００５５】
これら図９，図１０を含む、これ以降の各図に示すカードコネクタ１０は、第２実施形態としてのカードコネクタである。したがって、図１〜図８を参照して説明した第１実施形態としてのカードコネクタとはその構成が異なっている。
【００５６】
この図９には、このカードコネクタ１０の構成要素として、金属シェル１１およびカードトレイ１２が示されている。
【００５７】
また、このカードコネクタ１０にはハウジング１３（図１３参照）が備えられている。そのハウジング１３には、カードトレイ１２を受容する受容空間１３１が形成されている。金属シェル１１は、そのハウジング１３の受容空間１３１に受容されたカードトレイ１２を覆うようにハウジング１３に固定されている。
【００５８】
カードトレイ１２は、メモリカード４０を載せ、電子機器３０の筐体３１の、外壁面３１ａと内壁面３１ｂとに貫通する差込口３２を通って、挿入／取出しの向き（矢印Ｉ−Ｅ方向）に往復スライド自在である。そして、このカードトレイ１２は、挿入時には、この電子機器３０の外面の一部を成す役割も担っている。
【００５９】
ハウジング１３（図１３参照）は、電子機器３０の筐体３１内に備えられた回路基板２０に固定されている。そして、このハウジング１３は、挿入の向き（矢印Ｉの向き）にスライドしてきたカードトレイ１２を受容空間１３１に受容する。
【００６０】
図１１は、図９に示す矢印Ａ−Ａに沿う、電子機器の断面斜視図である。
【００６１】
また、図１２はメモリカードを載せた状態のカードトレイの分解斜視図である。この図１２は、カードトレイ１２を上下逆さにし、その底面を上にして示してある。
【００６２】
さらに、図１３は、回路基板に搭載された状態のカードコネクタの平面図である。この図１３では、カードコネクタ１０の内部構造が示されるように、図９等に示す金属シェル１１を取り除いて示している。
【００６３】
カードトレイ１２は、図１２に示すように、トレイ本体１２１と、Ｏリング１２２と、コイルスプリング１２３と、イジェクトロッド１２４とを備えている。トレイ本体１２１は、トレイ部１２１ａと、立壁部１２１ｂと、ロッド収容筒状部１２１ｃとを有する。なお、図１２には、分割片１２１ｄが示されている。この分割片１２１ｄは、ロッド収容筒状部１２１ｃ内に配置されるイジェクトロッド１２４の抜け止めの用の部材である。この分割片１２１ｄは、組立時に接着固定されて、組立後は立壁部１２１ｂの一部を成す。以下、特に言及しない限り、分割片１２１ｄを含んで立壁部１２１ｂと称する。
【００６４】
トレイ部１２１ａは、その凹部１２５にメモリカード４０を受容した状態で、ハウジング１３の受容空間１３１（図４参照）に受容される部分である。図１２には、トレイ部１２１ａに載せられたメモリカード４０の裏面が示されている。この裏面には、このメモリカード４０とカードコネクタ１０の図示しないコンタクトとの間の電気的な接続を担う導電パッド４１があらわれている。
【００６５】
また、立壁部１２１ｂは、トレイ部１２１ａが受容空間１３１に受容された状態において、筐体３１の差込口３２内に位置する部分である。そして、この立壁部１２１ｂは、筐体３１の差込口３２内に位置した状態において、筐体３１の外面の一部を成している。すなわち、立壁部１２１ｂの外面が筐体３１の外面と面一になる。この立壁部１２１ｂは、このカードトレイ１２を挿入の向き（図９，図１０に示す矢印Ｉの向き）に見たときに、トレイ部１２１ａを覆うとともに、そのトレイ部１２１ａの一方の脇にまで延びている。また、ロッド収容筒状部１２１ｃは、立壁部１２１ｂからトレイ部１２１ａの脇を挿入の向き（矢印Ｉの向き）に延びている部分である。ここで、このトレイ本体１２１には、立壁部１２１ｂの前面に開口１２１ｅを有し、この立壁部１２１ｂからロッド収容筒状部１２１ｃ内に延びる穴１２１ｆが形成されている。この穴１２１ｆは、立壁部１２１ｂの前面の開口１２１ｅ以外は塞がれた穴である。
【００６６】
また、立壁部１２１ｂには、その周面に、一周に亘る溝１２１ｇが形成されている。Ｏリング１２２は、その立壁部１２１ｂの溝１２１ｇに嵌め込まれて、立壁部１２１ｂを一周に亘って取り巻く。そして、このＯリング１２２は、トレイ部１２１ａが受容空間１３１に受容された状態における立壁部１２１ｂの周面と差込口３２の内周面との間を防水する。
【００６７】
コイルスプリング１２３は、立壁部１２１ｂの開口１２１ｅからロッド収容筒状部１２１ｃ内に延びる穴１２１ｆ内に配置される。
【００６８】
さらに、イジェクトロッド１２４は、コイルスプリング１２３を穴１２１ｆ内に閉じ込めて立壁部１２１ｂの開口１２１ｅを塞ぐように配置される。このイジェクトロッド１２４は、コイルスプリング１２３を押し縮めた収納位置と、穴１２１ｆから突出した突出位置との間で、挿入／取出しの向き（図１に示す矢印Ｉ−Ｅで示す方向）に往復スライド自在である。ただし、このイジェクトロッド１２４の抜止め部１２４ａは、常に穴１２１ｆ内に配置され、立壁部１２１ｂに接着固定された分割片１２１ｄに抜け止めされている。
【００６９】
また、このイジェクトロッド１２４の前端部には、マイナスドライバ等の冶具が嵌め込まれる溝１２４ｂが設けられている。また、この前端部には、挿入／取出しの向き（矢印Ｉ−Ｅ方向）に交わる半径方向に突出した係止突起１２４ｃが設けられている。この係止突起１２４ｃは、本発明にいう第１係止部の一例に相当する。そして、このイジェクトロッド１２４を穴１２１ｆに押し込んでマイナスドライバ等の冶具、硬貨又は爪等で回転させると、係止突起１２４ｃが、立壁部１２１ｂの、後述する係止溝１２１ｈ（図１０参照）に入り込んで係止される。この係止により、このイジェクトロッド１２４が、収納位置に保持される。収納位置に保持されたイジェクトロッド１２４を冶具等で逆向きに回転させると、その係止が外れる。すると、イジェクトロッド１２４は、コイルスプリング１２３に押されて取出しの向き（矢印Ｅの向き）に穴１２１ｆから突出する。この突出位置にあるイジェクトロッド１２４をその取出しの向き（矢印Ｅの向き）に引くと、カードトレイ１２が筐体３１から引き出される。
【００７０】
図１３には、このカードコネクタ１０を構成するハウジング１３の受容空間１３１に、メモリカード４０を載せたカードトレイ１２が挿入された状態が示されている。ただし、この図１３では、イジェクトロッド１２４は、穴１２１ｆ（図１２参照）内のコイルスプリング１２３に押されて、その穴１２１ｆから突出した突出位置にある。カードトレイ１２が受容空間１３１に挿入されると、その受容空間１３１には、カードトレイ１２のトレイ本体１２１のトレイ部１２１ａが受容される。このトレイ部１２１ａの側部には、ロック用の切欠き１２１ｍが形成されている。一方、ハウジング１３側には、そのトレイ部１２１ａが受容空間１３１に受容されたときにロック爪１４１がその切欠き１２１ｍに入り込むように配置されたロックアーム１４が備えられている。このロックアーム１４は、挿入の向き（矢印Ｉの向き）の奥側が固定されて取出しの向き（矢印Ｅの向き）に延びた片持ち梁形状を有する。ロック爪１４１は、ロックアーム１４の、取出しの向き（矢印Ｅの向き）の先端近傍に設けられている。
【００７１】
カードトレイ１２を受容空間１３１に差し込んでいくと、カードトレイ１２は、そのロックアーム１４を外方へ弾性変形させて進む。そして、トレイ部１２１ｂが受容空間１３１に受容されたタイミングで、ロックアーム１４が弾性変形から復帰して、ロック爪１４１がトレイ部１２１ａの切欠き１２１ｍに入り込む。これにより、カードトレイ１２は、不用意には抜け出ないように、受容空間１３１に受容された位置に固定される。カードトレイ１２が受容空間１３１に挿入されると、その受容空間１３１には、カードトレイ１２のトレイ本体１２１のトレイ部１２１ａが受容される。トレイ本体１２１の立壁部１２１ｂは、回路基板２０から食み出た位置に留まっている。これは、回路基板２０が筐体３１内に搭載されたときに、立壁部１２１ｂを、筐体３１の差込口３２内に位置させるためである。
【００７２】
ただし、この図１３に示す突出位置にあるイジェクトロッド１２４を取出しの向き（矢印Ｅの向き）に引くと、ロックアーム１４を再度弾性変形させながら、カードトレイ１２が引き出される。
【００７３】
図１４〜図１８は、筐体の差込口からカードトレイを差し込んで固定するプロセスを順に示した図である。
【００７４】
これら図１４〜図１８のうちの図１４，図１５および図１８については、（Ａ）は斜視図、（Ｂ）は、図９の矢印Ａ−Ａに沿った断面を示す斜視図であり、カードトレイ１２と筐体３１との関係が示されている。一方、図１６，図１７については、係止溝１２１ｈが筐体３１に隠れるため、筐体３１を省き、回路基板２０上に搭載された状態のカードコネクタ１０の一部分を示している。
【００７５】
先ず、図１４に示すように、筐体３１の差込口３２に、カードトレイ１２の先端を置く。このとき、イジェクトロッド１２４は、突出した状態（突出位置）にしておく。ただし、本実施形態の場合、このイジェクトロッド１２４は、この段階で既に、後述する収納位置に係止されていてもよい。ここでは、この図１５に示す段階では、イジェクトロッド１２４は未だ突出位置にあるものとして説明する。
【００７６】
次に、図１５に示すように、カードトレイ１２を、差込口３２から挿入の向き（矢印Ｉの向き）に押し込む。これにより、Ｏリング１２３が、立壁部１２１ｂの周面と差込口３２の内周面との間に挟まれて、その部分が防水される。また、穴１２１ｆは、筐体３１の内側からは隔絶されているため、この穴１２１ｆから筐体３１の内側に水が入る懸念もない。
【００７７】
次に、図１６に示すように、突出位置にあるイジェクトロッド１２４を押し込む。そして、この押込みにより、イジェクトロッド１２４に設けられている係止突起１２４ｃを、立壁部１２１ｂの、その係止突起１２４ｃと対応する位置に形成されている係止溝１２１ｈ内に嵌入させる。
【００７８】
この係止溝１２１ｈは、取出しの向き（矢印Ｅの向き）に開いた開口１２１ｉと、矢印Ｅの向きに対し斜めの部分１２１ｊと、矢印Ｅの向きに対し垂直の部分１２１ｋとを有する。そこで、このイジェクトロッド１２４を押し込みながら、図１７（Ａ）に示す矢印Ｒの向きに回転させる。すると、この図１７に示すように、係止突起１２４ｃが、係止溝１２１ｈの垂直の部分１２１ｋに入り込んでその係止溝１２１ｈに係止される。イジェクトロッド１２４が収納位置に保持されると、筐体３１は、図１８に示した通りの外観および断面となる。
【００７９】
係止溝１２１ｈには、その垂直の部分１２１ｋに、そこに入り込んだ係止突起１２４ｃの逆回転を抑える突起１２１ｐ（図１７（Ｂ）参照）が設けられている。これにより、イジェクトロッド１２４が不用意に逆回転して係止が外れることが防止される。ただし、マイナスドライバ等の冶具を溝１２４ｂに嵌めて若干押し込むことにより、イジェクトロッド１２４を逆回転させることができる。
【００８０】
イジェクトロッド１２４を図１７に示す矢印Ｒとは逆向きに回転させると、カードトレイ１２を筐体３１内から取り出すことができる。すなわち、イジェクトロッド１２４を図１６に示す姿勢にまで回転させると、イジェクトロッド１２４は、コイルスプリング１２３に押されて、図１５に示す突出位置まで突出する。そこで、その突出位置に突出したイジェクトロッド１２４を指の爪で引っ掛けて、あるいは冶具を用いて取出しの向き（矢印Ｅの向き）に引く。すると、イジェクトロッド１２４の板止め部１２４ａが立壁部１２１ｂに当接するので、カードトレイ１２の全体が筐体３１から引き抜かれる。
【００８１】
この第２実施形態のカードコネクタ１０の場合も、前述の第１実施形態の場合と同様、穴１２１ｆは筐体３１の内側とは隔絶されている。また、Ｏリング１２２により立壁部１２１ｂと差込口３２の内周面との間が防水される。このため、この第２実施形態の場合も、信頼性の高い防水構造が実現する。
【００８２】
この第２実施形態のカードコネクタ１０では、イジェクトロッド１２４は立壁部１２１ｂに係止される。したがって、その係止構造だけではカードトレイ１２の不用意なスライドを許容するおそれがある。このため、この第２実施形態の場合は、図１３に示すように、トレイ部１２１ａに切欠き１２１ｍを設け、ハウジング１３側にロックアーム１４を備えている。カードトレイ１２は、この切欠き１２１ｍとロックアーム１４とからなるロック機構により、抜け止めが図られている。
【００８３】
以上の通り、上述の第１，第２実施形態のカードコネクタ１０は、カードトレイ１２を筐体３１の外部に取り出すのに必要な穴１２１ｆについては、筐体３１の内側とは隔絶した穴としている。また、立壁部１２１ｂと差込口３２との間はＯリング１２２で防水構造としている。上述の第１，第２実施形態のカードコネクタ１０は、これにより、信頼性の高い防水構造を実現している。なお、上述の実施形態では、イジェクトロッドを付勢する弾性部材としてコイルスプリングが用いられていたが、穴１２１ｆの底に配置されたゴム部材であってもよい。
【符号の説明】
【００８４】
１０    カードコネクタ
１１    金属シェル
１２    カードトレイ
１３    ハウジング
１４    ロックアーム
２０    回路基板
３０    電子機器
３１    筐体
３１ａ    外壁面
３２    差込口
３３    係止凹部
３４，１２１ｈ    係止溝
４０    メモリカード
１２１    トレイ本体
１２１ａ    トレイ部
１２１ｂ    立壁部
１２１ｃ    ロッド収容筒状部
１２１ｄ    分割片
１２１ｅ，１２１ｉ    開口
１２１ｆ    穴
１２１ｇ    溝
１２１ｊ    斜めの部分
１２１ｋ    垂直の部分
１２１ｍ    切欠き
１２１ｐ    突起
１２２    Ｏリング
１２３    コイルスプリング（弾性部材）
１２４    イジェクトロッド
１２４ａ    抜止め部
１２４ｂ    溝
１２４ｃ    係止突起
１３１    受容空間
１４１    ロック爪
【図１】
2016033865.tif 000003
【図２】
2016033865.tif 000004
【図３】
2016033865.tif 000005
【図４】
2016033865.tif 000006
【図５】
2016033865.tif 000007
【図６】
2016033865.tif 000008
【図７】
2016033865.tif 000009
【図８】
2016033865.tif 000010
【図９】
2016033865.tif 000011
【図１０】
2016033865.tif 000012
【図１１】
2016033865.tif 000013
【図１２】
2016033865.tif 000014
【図１３】
2016033865.tif 000015
【図１４】
2016033865.tif 000016
【図１５】
2016033865.tif 000017
【図１６】
2016033865.tif 000018
【図１７】
2016033865.tif 000019
【図１８】
2016033865.tif 000020